(57)【要約】表示装置に付属されている標準の３次元用眼鏡でない３次元用眼鏡が使用される場合でも、３次元用眼鏡に装着された生体センサを用いた機能を提供することができる３次元画像表示システムを提供する。眼鏡（２０３）は、眼鏡（２０３）の機種情報を送信する機種情報送信部（１０７）と、視聴者の生体電位を電位情報として送信する電位情報送信部（１１２）とを有し、３次元表示テレビ（２０２）は、機種情報を受信する機種情報受信部（１０８）と、受信した機種情報に基づいて眼鏡（２０３）が有する電極の位置を判断する電極位置判断部（１１０）と、送信されてきた電位情報を受信する電位情報受信部（１１３）と、判断された電極の位置と受信された電位情報とに基づいて、視聴者における眼鏡（２０３）の装着状態を判定する装着状態判定部（１１５）とを有する。
2012160758.tif 000002
【特許請求の範囲】
【請求項１】
視聴者に３次元画像を提示する３次元画像表示システムであって、
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、前記視聴者の顔面または頭部に装着される３次元用眼鏡とを備え、
前記３次元用眼鏡は、
前記３次元用眼鏡の機種を識別する情報である機種情報を前記表示装置に送信する機種情報送信部と、
前記３次元用眼鏡に装着された電極によって前記視聴者の生体電位を計測する電位計測部と、
前記電位計測部で計測された生体電位の情報を電位情報として前記表示装置に送信する電位情報送信部とを有し、
前記表示装置は、
前記機種情報送信部から送信されてきた機種情報を受信する機種情報受信部と、
予め対応づけられた、機種情報と当該機種情報をもつ３次元用眼鏡が有する電極の位置を示す電極位置情報との組を複数組示す電極情報を参照することで、前記機種情報受信部が受信した機種情報に対応する電極位置情報を抽出し、抽出した電極位置情報に基づいて前記３次元用眼鏡が有する電極の位置を判断する電極位置判断部と、
前記電位情報送信部から送信されてきた電位情報を受信する電位情報受信部と、
前記電極位置判断部で判断された電極の位置と、前記電位情報受信部で受信された電位情報とに基づいて、前記電極の位置と前記電位情報が示す生体電位とを対応づけることで、前記視聴者における前記３次元用眼鏡の装着状態を判定する装着状態判定部とを有する
３次元画像表示システム。
【請求項２】
前記装着状態判定部は、予め定められた位置に装着された少なくとも一つの電極における生体電位が予め定められた値を超える場合に、前記装着状態として、前記３次元用眼鏡が前記視聴者に装着されていると判定する
請求項１記載の３次元画像表示システム。
【請求項３】
前記表示装置はさらに、
前記電極情報において、前記機種情報受信部が受信した機種情報が存在しなかった場合に、前記３次元用眼鏡が有する電極の位置を示す電極位置情報の送信を前記３次元用眼鏡に要求する電極情報要求送信部を有し、
前記３次元用眼鏡はさらに、
前記電極情報要求送信部から前記要求を受信する電極要求受信部と、
前記電極要求受信部が前記要求を受信した場合に、前記３次元用眼鏡が有する電極の位置を示す電極位置情報を前記表示装置に送信する電極位置送信部とを有し、
前記装着状態判定部はさらに、前記電極位置送信部から送信されてきた電極位置情報が示す電極の位置と前記電位情報受信部で受信された電位情報とに基づいて、前記装着状態を判定する
請求項１または２記載の３次元画像表示システム。
【請求項４】
前記表示装置はさらに、
前記３次元用眼鏡に装着された電極における生体電位を用いた、前記表示装置の機能と前記機能に対して必要となる電極の位置を示す電極位置情報とを対応づけた機能電極対応情報を予め記憶している機能電極対応情報記憶部と、
前記機能電極対応情報記憶部に記憶された機能電極対応情報を参照することで、前記電極位置判断部で判断された電極の位置を示す電極位置情報に対応する機能を特定することで、前記機能電極対応情報記憶部に記憶されている機能の中から前記表示装置が実現できる機能を決定する機能決定部とを有する
請求項１〜３のいずか１項に記載の３次元画像表示システム。
【請求項５】
前記表示装置はさらに、
前記機能決定部で決定された機能を実現するために必要な電極として、前記３次元用眼鏡に装着されている電極の中から一部の電極を特定する電極選択部と、
前記電極選択部で選択された電極を特定する情報を前記３次元用眼鏡に送信する電極情報送信部とを有する
請求項４記載の３次元画像表示システム。
【請求項６】
前記３次元用眼鏡はさらに、
前記電極情報送信部から送信されてきた電極の情報を受信する電極情報受信部を有し、
前記電位情報送信部は、前記電位計測部での計測で得られた電位情報のうち、前記電極情報受信部で受信された電極の情報で特定される電極で計測された生体電位に関する電位情報を前記表示装置に送信する
請求項５記載の３次元画像表示システム。
【請求項７】
前記表示装置はさらに、
前記機種情報受信部が機種情報を受信した場合に、受信した機種情報を表示する確認情報表示部と、
前記確認情報表示部による表示に対して、前記視聴者からの入力があった場合には、前記表示装置と前記３次元用眼鏡とを連携して動作させることを、別の表示装置に対して送信する登録情報送信部とを有する
請求項１〜６のいずれか１項に記載の３次元画像表示システム。
【請求項８】
視聴者に３次元画像を提示する３次元画像表示システムによる３次元画像表示方法であって、
前記３次元画像表示システムは、
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、視聴者の顔面または頭部に装着する３次元用眼鏡とを備え、
前記３次元画像表示方法は、
前記３次元用眼鏡が、前記３次元用眼鏡の機種を識別する情報である機種情報を前記表示装置に送信する機種情報送信ステップと、
前記表示装置が、前記機種情報送信部から送信されてきた機種情報を受信する機種情報受信ステップと、
前記表示装置が、予め対応づけられた、機種情報と３次元用眼鏡が有する電極の位置を示す電極位置情報との組を複数組示す電極情報を参照することで、前記機種情報受信ステップで受信された機種情報に対応する電極位置情報を抽出し、抽出した電極位置情報に基づいて前記３次元用眼鏡が有する電極の位置を判断する電極位置判断ステップと、
前記３次元用眼鏡が、前記３次元用眼鏡に装着された電極によって前記視聴者の生体電位を計測する電位計測ステップと、
前記３次元用眼鏡が、前記電位計測ステップで計測された生体電位の情報を電位情報として前記表示装置に送信する電位情報送信ステップと、
前記表示装置が、前記電位情報送信ステップで送信された電位情報を受信する電位情報受信ステップと、
前記表示装置が、前記電極位置判断ステップで判断された電極の位置と、前記電位情報受信ステップで受信された電位情報とに基づいて、前記電極の位置と前記電位情報が示す生体電位とを対応づけることで、前記視聴者における前記３次元用眼鏡の装着状態を判定する装着状態判定ステップと
を含む３次元画像表示方法。
【請求項９】
視聴者の顔面または頭部に装着され、表示装置と連携して動作する３次元用眼鏡であって、
透過状態と非透過状態とを切替可能な右目側シャッタ及び左目側シャッタと、
前記３次元用眼鏡の機種を識別する情報である機種情報を前記表示装置に送信する機種情報送信部と、
前記３次元用眼鏡に装着された電極によって前記視聴者の生体電位を計測する電位計測部と、
前記電位計測部で計測された生体電位の情報を電位情報として前記表示装置に送信する電位情報送信部と
を備える３次元用眼鏡。
【請求項１０】
さらに、
前記表示装置から、電極の位置を示す電極位置情報の送信についての要求を受信する電極要求受信部と、
前記電極要求受信部が前記要求を受信した場合に、前記３次元用眼鏡が有する電極の位置を示す電極位置情報を前記表示装置に送信する電極位置送信部とを備える
請求項９記載の３次元用眼鏡。
【請求項１１】
さらに、前記表示装置から、前記３次元用眼鏡に装着されている電極の中から選択された一部の電極を特定する情報を受信する電極情報受信部を備え、
前記電位情報送信部は、前記電位計測部での計測で得られた電位情報のうち、前記電極情報受信部で受信された情報で特定される電極で計測された生体電位に関する電位情報を前記表示装置に送信する
請求項９または１０記載の３次元用眼鏡。
【請求項１２】
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、視聴者の顔面または頭部に装着する３次元用眼鏡とから構成される３次元画像表示システムにおける前記表示装置のためのプログラムであって、
前記３次元用眼鏡から送信されてくる、前記３次元用眼鏡の機種を識別する情報である機種情報を受信する機種情報受信ステップと、
予め対応づけられた、機種情報と３次元用眼鏡が有する電極の位置を示す電極位置情報との組を複数組示す電極情報を参照することで、前記機種情報受信ステップで受信された機種情報に対応する電極位置情報を抽出し、抽出した電極位置情報に基づいて前記３次元用眼鏡が有する電極の位置を判断する電極位置判断ステップと、
前記３次元用眼鏡から送信されてくる、前記３次元用眼鏡に装着された電極によって計測された前記視聴者の生体電位を示す電位情報を受信する電位情報受信ステップと、
前記電極位置判断ステップで判断された電極の位置と、前記電位情報受信ステップで受信された電位情報とに基づいて、前記電極の位置と前記電位情報が示す生体電位とを対応づけることで、前記視聴者における前記３次元用眼鏡の装着状態を判定する装着状態判定ステップと
をコンピュータに実行させるプログラム。
【発明の詳細な説明】
【技術分野】
【０００１】
本発明は、視聴者に３次元画像を提示する３次元画像表示システムに関し、特に、３次元画像を表示する表示装置と生体電位を計測する機能をもつ３次元用眼鏡とから構成される３次元画像表示システムに関する。
【背景技術】
【０００２】
３次元（以下、「３Ｄ」ともいう。）映像は、大画面による映画のみでなく、家庭用の３次元テレビやコンピュータディスプレイの普及とともにテレビコンテンツやゲームの映像として広まりつつある。３次元映像は右目に提示する画像と左目に提示する画像との間に視差を作ることで、視聴者に奥行きがあるように錯覚させるものである。３次元映像の視聴においては、従来の２次元（以下、「２Ｄ」ともいう。）の映像と異なり、被写体の奥行きに合わせて右目と左目のそれぞれが動く。つまり、奥行きが小さく被写体が手前に飛び出して見えるときには、左右の目は寄り目になる方向に動き、奥行きが大きく被写体が遠くに見えるときには、両目はまっすぐ前を見る状態に近くなる。一方、ディスプレイの位置は移動しないため、はっきり見るためにはピントをディスプレイの位置に合わせ続ける必要があり、焦点距離はディスプレイの位置に固定される。このような被写体の仮想の奥行きに対する目の動きと焦点距離の矛盾により、立体映像の視聴に伴い、視聴者において、疲労や映像酔い等の身体症状が現れる場合があるとされる。そこで、従来、特許文献１では、３次元映像を視聴している視聴者の目の光学特性を計測することで、視聴者の疲労を判別している。【０００３】
一方、１つのディスプレイで、左右の目に対して、異なる画像を提示するには、専用のメガネ（以下、「３次元用眼鏡」、あるいは、単に「眼鏡」ともいう。）を用いて、シャッタにより左右の目に届く光を選択する必要がある。シャッタを右目用および左目用の画面表示に同期して十分に早い頻度で切り替えることで、視聴者は左右の画像の切り替えに気づかず、両目の情報を融像して立体視することができる。【０００４】
ところで、３次元映像の表示中は、専用メガネをかけずにディスプレイを見た場合には、立体視できないばかりか、２重像が見える。そこで、確実に立体視ができるように、特許文献２では、専用メガネに接触あるいは非接触になる状態で、メガネが視聴者に装着された状態であるか否かをセンシングして、専用メガネから装着状態を示す信号を、テレビ、コンピュータ、あるいはゲーム機等の映像表示を制御する表示装置へ送信する。これにより、表示装置において、２次元映像と３次元映像との表示の切り替えを制御している。
【先行技術文献】
【特許文献】
【０００５】
【特許文献１】特開２００６−３０５３２５号公報
【特許文献２】特開２０１０−１５４５３３号公報
【発明の概要】
【発明が解決しようとする課題】
【０００６】
しかしながら、上記特許文献２の技術では、表示装置と、その表示装置に付属されている標準の３次元用眼鏡との組み合わせでしか、３次元用眼鏡の装着状態が判定できないという問題がある。【０００７】
そこで、本発明は、表示装置に付属されている標準の３次元用眼鏡でない３次元用眼鏡が使用される場合でも、３次元用眼鏡に装着された生体センサを用いた機能を提供することができる３次元画像表示システム等を提供することを目的とする。
【課題を解決するための手段】
【０００８】
上記目的を達成するために、本発明に係る３次元画像表示システムの一形態は、視聴者に３次元画像を提示する３次元画像表示システムであって、右目用画像と左目用画像とを交互に表示する表示装置と、左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、前記視聴者の顔面または頭部に装着される３次元用眼鏡とを備え、前記３次元用眼鏡は、前記３次元用眼鏡の機種を識別する情報である機種情報を前記表示装置に送信する機種情報送信部と、前記３次元用眼鏡に装着された電極によって前記視聴者の生体電位を計測する電位計測部と、前記電位計測部で計測された生体電位の情報を電位情報として前記表示装置に送信する電位情報送信部とを有し、前記表示装置は、前記機種情報送信部から送信されてきた機種情報を受信する機種情報受信部と、予め対応づけられた、機種情報と当該機種情報をもつ３次元用眼鏡が有する電極の位置を示す電極位置情報との組を複数組示す電極情報を参照することで、前記機種情報受信部が受信した機種情報に対応する電極位置情報を抽出し、抽出した電極位置情報に基づいて前記３次元用眼鏡が有する電極の位置を判断する電極位置判断部と、前記電位情報送信部から送信されてきた電位情報を受信する電位情報受信部と、前記電極位置判断部で判断された電極の位置と、前記電位情報受信部で受信された電位情報とに基づいて、前記電極の位置と前記電位情報が示す生体電位とを対応づけることで、前記視聴者における前記３次元用眼鏡の装着状態を判定する装着状態判定部とを有する。
【発明の効果】
【０００９】
本願発明により、表示装置に付属されている標準の３次元用眼鏡でない３次元用眼鏡が使用される場合でも、３次元用眼鏡と表示装置とが双方向通信を行うことで、３次元用眼鏡に装着された生体センサを用いた機能が提供される。
【図面の簡単な説明】
【００１０】
【図１】図１は、本発明の実施の形態における３次元画像表示システムの構成例を示す図である。
【図２】図２は、本発明の実施の形態における３次元画像表示システムのハードウェア構成を示す図である。
【図３】図３は、眼鏡に登録されている機種情報の一例を示す図である。
【図４】図４は、通信１での通信内容の一例を示す図である。
【図５】図５は、眼鏡の機種に対する電極の装着位置（電極情報）の一例を示す図である。
【図６】図６は、眼鏡の標準的な電極の装着位置の一例を示す図である。
【図７】図７は、ある眼鏡の電極の装着位置の一例を示す図である。
【図８】図８は、眼鏡の登録を促す画面表示の一例を示す図である。
【図９】図９は、通信２の通信内容の一例を示す図である。
【図１０】図１０は、装着判定電極記憶部に記憶された電極に関する情報の一例を示す図である。
【図１１】図１１は、生体電位センサのデータ例を示す図である。
【図１２】図１２は、眼鏡のシャッタを制御する通信内容の一例を示す図である。
【図１３Ａ】図１３Ａは、３Ｄ映像への切替を確認する画面表示の一例を示す図である。
【図１３Ｂ】図１３Ｂは、表示装置と眼鏡の双方向通信の一例を示す図である。
【図１４Ａ】図１４Ａは、表示装置の制御フローを示す図である。
【図１４Ｂ】図１４Ｂは、眼鏡の開閉状態を検出するセンサの構成例を示す図である。
【図１５】図１５は、本発明の実施の形態の変形例１における３次元画像表示システムの構成例を示す図である。
【図１６】図１６は、ある眼鏡の電極の装着位置の一例を示す図である。
【図１７】図１７は、ある眼鏡の電極の装着位置の一例を示す図である。
【図１８】図１８は、ある眼鏡の電極の装着位置とその登録内容を示す図である。
【図１９】図１９は、電極の位置を確認する通信内容の一例を示す図である。
【図２０】図２０は、本発明の実施の形態の変形例２における３次元画像表示システムの構成例を示す図である。
【図２１】図２１は、機能電極対応情報記憶部に記憶されている機能電極対応情報の一例を示す図である。
【図２２】図２２は、表示装置の機能を画面で確認する様子を示す図である。
【図２３】図２３は、必要な電極の情報を知らせる通信内容の一例を示す図である。
【図２４】図２４は、本発明の実施の形態の変形例３における３次元画像表示システムの構成例を示す図である。
【図２５Ａ】図２５Ａは、眼鏡と２台の表示装置との通信シーケンスの一例を示す図である。
【図２５Ｂ】図２５Ｂは、テレビによるブロードキャストの概念を示す図である。
【図２６】図２６は、眼鏡の登録を確認する通信内容の一例を示す図である。
【図２７】図２７は、本発明に係る３次元画像表示システムにおける３次元表示テレビをコンピュータシステムで実現する場合に用いられるハードウェア構成を示すブロック図である。
【発明を実施するための形態】
【００１１】
（本発明者らによる知見）
近年、３Ｄテレビの普及に伴い、複数の製造業者が表示装置を販売するようになってきた。さらに、パーソナルコンピュータ用のディスプレイ、放送や映像のパッケージコンテンツを再生するテレビ等の表示装置、映画館での視聴等においては、立体映像を視聴するときに共通の眼鏡を用いて視聴できるようになってきている。このように、様々な状況で眼鏡を利用した立体映像の視聴が普及することで、表示装置と眼鏡とが双方向通信を行い、視聴者が装着する眼鏡に応じた表示装置の制御が必要になってくる。
【００１２】
一方、視聴者が装着する眼鏡に電極等の生体センサを装着することで、視聴者の状態を検出することが可能になる。しかしながら、眼鏡の形が製造業者によって異なったり、発売される時期が異なったりすることで、眼鏡の仕様が異なり、眼鏡に装着される生体センサの数や、生体センサの機能が異なる。
【００１３】
そこで、本発明者らは、表示装置に付属されている標準の３次元用眼鏡でない３次元用眼鏡が使用される場合でも、眼鏡と表示装置とが双方向通信を行うことで、３次元用眼鏡に装着された生体センサを用いた機能を提供することができる３次元画像表示システム等を考案した。
【００１４】
本発明の一実施態様に係る３次元画像表示システムは、視聴者に３次元画像を提示する３次元画像表示システムであって、右目用画像と左目用画像とを交互に表示する表示装置と、左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、前記視聴者の顔面または頭部に装着される３次元用眼鏡とを備え、前記３次元用眼鏡は、前記３次元用眼鏡の機種を識別する情報である機種情報を前記表示装置に送信する機種情報送信部と、前記３次元用眼鏡に装着された電極によって前記視聴者の生体電位を計測する電位計測部と、前記電位計測部で計測された生体電位の情報を電位情報として前記表示装置に送信する電位情報送信部とを有し、前記表示装置は、前記機種情報送信部から送信されてきた機種情報を受信する機種情報受信部と、予め対応づけられた、機種情報と当該機種情報をもつ３次元用眼鏡が有する電極の位置を示す電極位置情報との組を複数組示す電極情報を参照することで、前記機種情報受信部が受信した機種情報に対応する電極位置情報を抽出し、抽出した電極位置情報に基づいて前記３次元用眼鏡が有する電極の位置を判断する電極位置判断部と、前記電位情報送信部から送信されてきた電位情報を受信する電位情報受信部と、前記電極位置判断部で判断された電極の位置と、前記電位情報受信部で受信された電位情報とに基づいて、前記電極の位置と前記電位情報が示す生体電位とを対応づけることで、前記視聴者における前記３次元用眼鏡の装着状態を判定する装着状態判定部とを有する。
【００１５】
これにより、表示装置に付属されている標準の３次元用眼鏡でない３次元用眼鏡が使用される場合でも、３次元用眼鏡と表示装置とが双方向通信を行うことで、３次元用眼鏡に装着された生体センサを用いた機能（装着状態の確認）が提供される。
【００１６】
つまり、従来であれば、眼鏡の形が製造業者によって異なったり、発売される時期が異なったりすることで、眼鏡の仕様が異なり、眼鏡に装着される生体センサの数や装着位置、生体センサの機能が異なる。本発明によれば、視聴者が使用する３次元用眼鏡の機種情報が３次元用眼鏡から表示装置に送信され、表示装置では、受信した機種情報に基づいて３次元用眼鏡に装着されている電極の位置を認識することができるので、視聴者が使用している３次元用眼鏡に合った機能（装着状態の確認）が提供される。
【００１７】
ここで、装着状態の確認の具体例として、前記装着状態判定部は、予め定められた位置に装着された少なくとも一つの電極における生体電位が予め定められた値を超える場合に、前記装着状態として、前記３次元用眼鏡が前記視聴者に装着されていると判定してもよい。
【００１８】
これにより、電極における電位が生じているときに３次元用眼鏡が視聴者に装着されていると判定され、装着判定が的確に行われる。
【００１９】
また、前記表示装置はさらに、前記電極情報において、前記機種情報受信部が受信した機種情報が存在しなかった場合に、前記３次元用眼鏡が有する電極の位置を示す電極位置情報の送信を前記３次元用眼鏡に要求する電極情報要求送信部を有し、前記３次元用眼鏡はさらに、前記電極情報要求送信部から前記要求を受信する電極要求受信部と、前記電極要求受信部が前記要求を受信した場合に、前記３次元用眼鏡が有する電極の位置を示す電極位置情報を前記表示装置に送信する電極位置送信部とを有し、前記装着状態判定部はさらに、前記電極位置送信部から送信されてきた電極位置情報が示す電極の位置と前記電位情報受信部で受信された電位情報とに基づいて、前記装着状態を判定してもよい。
【００２０】
これにより、受信した機種情報が表示装置に登録されていない場合であっても、表示装置からの要求に基づいて３次元用眼鏡に装着された電極の位置が表示装置に通知されるので、表示装置において眼鏡の装着状態が判定され得る。
【００２１】
また、前記表示装置はさらに、前記３次元用眼鏡に装着された電極における生体電位を用いた、前記表示装置の機能と前記機能に対して必要となる電極の位置を示す電極位置情報とを対応づけた機能電極対応情報を予め記憶している機能電極対応情報記憶部と、前記機能電極対応情報記憶部に記憶された機能電極対応情報を参照することで、前記電極位置判断部で判断された電極の位置を示す電極位置情報に対応する機能を特定することで、前記機能電極対応情報記憶部に記憶されている機能の中から前記表示装置が実現できる機能を決定する機能決定部とを有してもよい。
【００２２】
これにより、表示装置が有する機能と電極位置情報との対応を定義した機能電極対応情報に基づいて、眼鏡に装着された電極に適した機能が動的に決定される。
【００２３】
そして、決定された機能の利用例として、例えば、前記表示装置はさらに、前記機能決定部で決定された機能を実現するために必要な電極として、前記３次元用眼鏡に装着されている電極の中から一部の電極を特定する電極選択部と、前記電極選択部で選択された電極を特定する情報を前記３次元用眼鏡に送信する電極情報送信部とを有してもよい。そのときに、前記３次元用眼鏡はさらに、前記電極情報送信部から送信されてきた電極の情報を受信する電極情報受信部を有し、前記電位情報送信部は、前記電位計測部での計測で得られた電位情報のうち、前記電極情報受信部で受信された電極の情報で特定される電極で計測された生体電位に関する電位情報を前記表示装置に送信してもよい。
【００２４】
これにより、表示装置で決定された機能を発揮するのに必要な電極の電位情報が３次元用眼鏡から表示装置に通知され、表示装置において決定された機能が確実に実施される。
【００２５】
また、前記表示装置はさらに、前記機種情報受信部が機種情報を受信した場合に、受信した機種情報を表示する確認情報表示部と、前記確認情報表示部による表示に対して、前記視聴者からの入力があった場合には、前記表示装置と前記３次元用眼鏡とを連携して動作させることを、別の表示装置に対して送信する登録情報送信部とを有してもよい。
【００２６】
これにより、視聴者が確認した表示装置と３次元用眼鏡とが連携して動作することが他の表示装置に通知されるので、複数の表示装置が存在する環境下で３次元用眼鏡が使用された場合であっても、その３次元用眼鏡は、視聴者が意図する一台の表示装置とだけ連携して動作することができる。たとえば、視聴者が装着する３次元用眼鏡は、視聴者が意図する表示装置からの制御信号だけに同期して左右のシャッタを制御するので、視聴者は、複数の表示装置が存在する環境下であっても、意図する表示装置に提示される３次元映像を正しく視聴することができる。
【００２７】
また、本発明の一実施態様に係る３次元画像表示方法は、視聴者に３次元画像を提示する３次元画像表示システムによる３次元画像表示方法であって、前記３次元画像表示システムは、右目用画像と左目用画像とを交互に表示する表示装置と、左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、視聴者の顔面または頭部に装着する３次元用眼鏡とを備え、前記３次元画像表示方法は、前記３次元用眼鏡が、前記３次元用眼鏡の機種を識別する情報である機種情報を前記表示装置に送信する機種情報送信ステップと、前記表示装置が、前記機種情報送信部から送信されてきた機種情報を受信する機種情報受信ステップと、前記表示装置が、予め対応づけられた、機種情報と３次元用眼鏡が有する電極の位置を示す電極位置情報との組を複数組示す電極情報を参照することで、前記機種情報受信ステップで受信された機種情報に対応する電極位置情報を抽出し、抽出した電極位置情報に基づいて前記３次元用眼鏡が有する電極の位置を判断する電極位置判断ステップと、前記３次元用眼鏡が、前記３次元用眼鏡に装着された電極によって前記視聴者の生体電位を計測する電位計測ステップと、前記３次元用眼鏡が、前記電位計測ステップで計測された生体電位の情報を電位情報として前記表示装置に送信する電位情報送信ステップと、前記表示装置が、前記電位情報送信ステップで送信された電位情報を受信する電位情報受信ステップと、前記表示装置が、前記電極位置判断ステップで判断された電極の位置と、前記電位情報受信ステップで受信された電位情報とに基づいて、前記電極の位置と前記電位情報が示す生体電位とを対応づけることで、前記視聴者における前記３次元用眼鏡の装着状態を判定する装着状態判定ステップとを含む。
【００２８】
これにより、視聴者が使用する３次元用眼鏡の機種情報が３次元用眼鏡から表示装置に送信され、表示装置では、受信した機種情報に基づいて３次元用眼鏡に装着されている電極の位置を認識することができるので、視聴者が使用している３次元用眼鏡に合った機能（装着状態の確認）が提供され得る。
【００２９】
また、本発明の一実施態様に係る３次元用眼鏡は、視聴者の顔面または頭部に装着され、表示装置と連携して動作する３次元用眼鏡であって、透過状態と非透過状態とを切替可能な右目側シャッタ及び左目側シャッタと、前記３次元用眼鏡の機種を識別する情報である機種情報を前記表示装置に送信する機種情報送信部と、前記３次元用眼鏡に装着された電極によって前記視聴者の生体電位を計測する電位計測部と、前記電位計測部で計測された生体電位の情報を電位情報として前記表示装置に送信する電位情報送信部とを備える。
【００３０】
これにより、視聴者が使用する３次元用眼鏡の機種情報が３次元用眼鏡から表示装置に送信され、表示装置では、受信した機種情報に基づいて３次元用眼鏡に装着されている電極の位置を認識することができ、視聴者が使用している３次元用眼鏡に合った機能（装着状態の確認）が提供される。
【００３１】
また、さらに、前記表示装置から、電極の位置を示す電極位置情報の送信についての要求を受信する電極要求受信部と、前記電極要求受信部が前記要求を受信した場合に、前記３次元用眼鏡が有する電極の位置を示す電極位置情報を前記表示装置に送信する電極位置送信部とを備えてもよい。
【００３２】
これにより、表示装置からの要求に基づいて３次元用眼鏡に装着された電極の位置が表示装置に通知されるので、表示装置が眼鏡識別子を認識できない場合であって、表示装置は、３次元用眼鏡に装着された電極の位置を知ることができ、生体電位を用いた機能を提供することができる。
【００３３】
また、さらに、前記表示装置から、前記３次元用眼鏡に装着されている電極の中から選択された一部の電極を特定する情報を受信する電極情報受信部を備え、前記電位情報送信部は、前記電位計測部での計測で得られた電位情報のうち、前記電極情報受信部で受信された情報で特定される電極で計測された生体電位に関する電位情報を前記表示装置に送信してもよい。
【００３４】
これにより、表示装置で選択された電極で計測された生体電位に関する電位情報だけが表示装置に送信されるので、表示装置は、自ら選択した電極の電位情報を用いた機能を発揮することができる。
【００３５】
なお、本発明は、３次元画像表示システム、３次元画像表示方法および３次元用眼鏡として実現できるだけでなく、３次元画像表示システムを構成する表示装置用のプログラムとして実現することもできる。
【００３６】
以下、図面を用いて、本発明に係る３次元画像表示システム、３次元画像表示方法および３次元用眼鏡の実施の形態およびその変形例について説明する。なお、以下で説明する実施の形態およびその変形例は、いずれも本発明の好ましい一具体例を示すものである。以下の実施の形態およびその変形例で示される数値、形状、材料、構成要素、構成要素の配置位置及び接続形態、ステップ、ステップの順序などは、一例であり、本発明を限定する主旨ではない。本発明は、請求の範囲によって特定される。よって、以下の実施の形態およびその変形例における構成要素のうち、本発明の最上位概念を示す独立請求項に記載されていない構成要素については、本発明の課題を達成するのに必ずしも必要ではないが、より好ましい形態を構成する任意の構成要素として説明される。
【００３７】
（実施の形態）
まず、本発明に係る３次元画像表示システム、３次元画像表示方法および３次元用眼鏡の実施の形態について説明する。
【００３８】
本実施の形態では、３Ｄ眼鏡の開閉状態だけでなく、電極の装着状況を検査して、視聴者が眼鏡を装着しているか否かを判断する３次元画像表示システムを提供する。
【００３９】
本実施の形態における３次元画像表示システムの構成の例を図１に示す。
【００４０】
本実施の形態の３次元画像表示システムは、画面を有する表示装置の一例である３次元表示テレビ２０２と、３次元用眼鏡の一例である、生体センサ付３次元用の眼鏡２０３から構成される。
【００４１】
３次元表示テレビ２０２は、３次元表示の機能、つまり、画面に右目用画像と左目用画像とを交互に表示する機能を備えるテレビジョン受像機であり、画面制御部１０１、制御信号送信部１０２、機種情報受信部１０８、電極位置判断部１１０、電極情報記憶部１０９、電位情報受信部１１３、装着状態判定部１１５、および、装着判定電極記憶部１１４を有する。眼鏡２０３は、左目側のシャッタおよび右目側のシャッタを有し、３次元表示テレビ２０２において左目用画像が表示されるときに左目側のシャッタを透過状態にし、３次元表示テレビ２０２において右目用画像が表示されるときに右目側のシャッタを透過状態にする、視聴者の顔面または頭部に装着される３次元用眼鏡である。この眼鏡２０３は、制御信号受信部１０３、シャッタ制御部１０４、機種情報記憶部１０５、送信情報生成部１０６、機種情報送信部１０７、電位計測部１１１、および、電位情報送信部１１２を有する。
【００４２】
図１において、画面制御部１０１は、３次元表示テレビ２０２が有する画面において視聴者の右目用画像を提示するか左目用の画像を提示するかの制御を行う処理部である。
【００４３】
制御信号送信部１０２は、画面制御部１０１で制御されている画像に対して眼鏡２０３を制御するための制御信号を眼鏡２０３に送信する通信部である。
【００４４】
制御信号受信部１０３は、制御信号送信部１０２から送信された制御信号を受信する通信部である。
【００４５】
シャッタ制御部１０４は、制御信号受信部１０３で受信した制御信号に応じて眼鏡２０３が有するレンズ用のシャッタ（右目側のシャッタおよび左目側のシャッタ）を制御する処理部である。
【００４６】
機種情報記憶部１０５は、眼鏡２０３の機種を識別する情報である機種情報を予め記憶しているメモリ等である。
【００４７】
送信情報生成部１０６は、眼鏡２０３から３次元表示テレビ２０２等の表示装置に対して送信する情報を、３次元表示テレビ２０２が受信して解釈可能な送信情報に加工する処理部である。
【００４８】
機種情報送信部１０７は、機種情報記憶部１０５で記憶されている機種情報に対して送信情報生成部１０６で加工したもの（送信情報）を３次元表示テレビ２０２等の表示装置に送信する通信部である。
【００４９】
機種情報受信部１０８は、機種情報送信部１０７から送信された機種情報を受信する通信部である。
【００５０】
電極情報記憶部１０９は、予め対応づけられた、眼鏡の機種情報と当該機種情報をもつ眼鏡が有する電極の位置を示す電極位置情報との組を複数組示す電極情報を予め記憶している、つまり、多くの種類の眼鏡の機種情報に対応する電極の装着位置等の情報を記憶しているメモリ等である。
【００５１】
電極位置判断部１１０は、電極情報記憶部１０９に記憶されている電極情報を参照することで、機種情報受信部１０８が受信した機種情報に対応する電極位置情報を抽出し、抽出した電極位置情報に基づいて眼鏡２０３が有する電極の位置を判断する処理部である。つまり、電極位置判断部１１０は、機種情報受信部１０８で受信した機種情報に対応する、電極情報記憶部１０９で記憶されている電極位置情報を検索することで、生体電位（以下、単に「電位」ともいう。）の測定に利用する電極を決定する処理部である。
【００５２】
電位計測部１１１は、眼鏡２０３に装着されている電極を用いて視聴者の生体電位を計測する処理部である。
【００５３】
電位情報送信部１１２は、電位計測部１１１で計測された生体電位に関する情報に対して送信情報生成部１０６で加工された情報（電位情報）を、３次元表示テレビ２０２に送信する通信部である。
【００５４】
電位情報受信部１１３は、電位情報送信部１１２から送信されてきた電位情報を受信する通信部である。
【００５５】
装着判定電極記憶部１１４は、視聴者が眼鏡を装着しているか否かを判断するために利用する電極に関する情報を予め記憶しているメモリ等である。
【００５６】
装着状態判定部１１５は、電極位置判断部１１０で判断された電極の位置と、電位情報受信部１１３で受信された電位情報とに基づいて、電極の位置と電位情報が示す生体電位とを対応づけることで、視聴者における３次元用眼鏡の装着状態を判定する処理部である。本実施の形態では、装着状態判定部１１５は、電極位置判断部１１０で判断された電極のうち、装着判定電極記憶部１１４に記憶されている情報によって特定される電極の電位、つまり、眼鏡の装着状態を検出するために監視すべき電極の電位を電位情報受信部１１３で受信された電位情報から判断し、視聴者が眼鏡を装着しているか否かを判定する。具体的には、装着状態判定部１１５は、予め定められた位置に装着された少なくとも一つの電極における生体電位が予め定められた範囲内である場合（本実施の形態では、装着判定電極記憶部１１４に記憶されている情報によって特定される電極の電位の少なくとも一つが装着判定電極記憶部１１４に記憶されている情報によって特定される範囲内である場合）に、眼鏡２０３が視聴者に装着されていると判定する。
【００５７】
なお、本実施の形態における３次元画像表示システムを構成する処理部（画面制御部１０１、制御信号送信部１０２、制御信号受信部１０３、シャッタ制御部１０４、送信情報生成部１０６、機種情報送信部１０７、機種情報受信部１０８、電極位置判断部１１０、電位情報送信部１１２、電位情報受信部１１３および装着状態判定部１１５）の一部または全部は、専用の電子回路（つまり、ハードウェア）、あるいは、ＣＰＵで実行されるプログラム（つまり、ソフトウェア）によって実現されてもよい。たとえば、３次元表示テレビ２０２を構成する画面制御部１０１、制御信号送信部１０２、機種情報受信部１０８、電極位置判断部１１０、電位情報受信部１１３および装着状態判定部１１５の全部または一部は、電子回路で実現されてもよいし、３次元表示テレビ２０２に備えられたＣＰＵ（あるいは、プロセッサ）によって実行されるプログラムによって実現されてもよい。同様に、眼鏡２０３を構成する制御信号受信部１０３、シャッタ制御部１０４、送信情報生成部１０６、機種情報送信部１０７および電位情報送信部１１２の全部または一部は、電子回路で実現されてもよいし、眼鏡２０３に備えられたＣＰＵ（あるいは、プロセッサ）によって実行されるプログラムによって実現されてもよい。
【００５８】
次に、本実施の形態における３次元画像表示システムが動作するハードウェアの構成の例を図２に示す。図２では、３Ｄ映像が蓄積されたＤＶＤ再生装置２０１と、３Ｄ表示機能付きテレビ、つまり、３次元表示テレビ２０２とが接続されている。さらに、３次元表示テレビ２０２には双方向通信用のアンテナ２１２が装着されており、電極が装着された眼鏡２０３と双方向の通信を行うことが可能である。図２では、電極が４個装着された眼鏡２０３が図示されている。この眼鏡２０３の左右のレンズには液晶のシャッタ２３０が装着されている。また、眼鏡２０３には図示されていないマイコンが搭載されており、３次元表示テレビ２０２のアンテナ２１２と通信し合うアンテナ２１３からの信号に応じて液晶のシャッタ２３０の開閉が制御される。また、眼鏡２０３に装着された電極２２１〜２２４は、視聴者の鼻の部分やこめかみの部分に接触することで、視聴者の生体電位を計測することが可能である。この生体電位を用いて、視聴者が眼鏡を装着しているか否かの判断結果や、視聴者の眼球運動の状態を計測した結果を、アンテナ２１３を通じて、３次元表示テレビ２０２へ送信することも可能である。
【００５９】
次に、図１の各モジュール（構成要素）の動作について説明する。３次元表示テレビ２０２において、画面制御部１０１は、３次元表示テレビ２０２の画面に右目用画像を提示するか左目用の画像を提示するかの制御を行う。制御信号送信部１０２は、画面制御部１０１で制御されている画像と同期して眼鏡２０３を制御するための制御信号を眼鏡２０３に送信する。眼鏡２０３において、制御信号受信部１０３は、３次元表示テレビ２０２の制御信号送信部１０２から送信されてきた制御信号を受信する。シャッタ制御部１０４は、制御信号受信部１０３で受信した制御信号に応じて眼鏡２０３のレンズに設けられたシャッタ２３０を制御する。このような構成により、本実施の形態における３次元画像表示システムは、右目用映像および左目用映像を提示することで、視聴者は３Ｄの映像を視聴することが可能になる。
【００６０】
次に、眼鏡２０３から３次元表示テレビ２０２への通信制御方式について説明する。機種情報記憶部１０５は、眼鏡２０３の機種を識別する情報である機種情報を記憶している。具体的には、機種情報記憶部１０５には、例えば、図３に示すように、眼鏡の機種情報として、製造年月日、製造メーカ、製造番号、眼鏡モデルＩＤ、眼鏡機種ＩＤ等が蓄積されている。これは、眼鏡が製造され、工場から出荷されるときに、ＲＯＭ等によって記録されているものである。特に、眼鏡機種ＩＤに関しては、眼鏡の機能の識別子として利用することができ、この識別子を参照することで、眼鏡に装着されている電池の容量や電極の個数、電極の装着場所等を特定することが可能になるものである。なお、本実施の形態では、眼鏡に装着された電極の仕様と一義的に対応づけられる機種情報は、典型的には、眼鏡機種ＩＤであるが、これに限られず、眼鏡モデルＩＤであってもよいし、眼鏡モデルＩＤと眼鏡機種ＩＤとの組み合わせであってもよいし、機種情報記憶部１０５に記憶されている全て、あるいは、一部の情報の組み合わせであってもよい。
【００６１】
送信情報生成部１０６は、眼鏡２０３から３次元表示テレビ２０２等の表示装置に対して送信する情報を、３次元表示テレビ２０２が受信して解釈可能な送信情報に加工する。眼鏡から表示装置へ送信するフォーマットは規格等で事前に設計されている場合が多く、その規定に従う形式に情報を加工する。また、眼鏡２０３の電源が投入されると、機種情報送信部１０７は、機種情報記憶部１０５で記憶されている機種情報に対して送信情報生成部１０６が加工したもの（送信情報）を３次元表示テレビ２０２等の表示装置に送信する。加工された情報の例を図４に示す。図４の（ａ）においては、図３で示した眼鏡の機種情報をＸＭＬフォーマットに加工したものが示されている。また、図４の（ｂ）に示すように、通信パケットのフォーマットとして定義されたものを送信してもよい。
【００６２】
機種情報受信部１０８は、機種情報送信部１０７から送信された機種情報を受信する。例えば、機種情報送信部１０７が送信した図４の機種情報を３次元表示テレビ２０２が受信する。これにより、３次元表示テレビ２０２は、３Ｄ視聴用の眼鏡２０３の電源が投入されたことを認識できる。
【００６３】
一方、電極情報記憶部１０９は、予め対応づけられた、眼鏡の機種情報と当該機種情報をもつ眼鏡が有する電極の位置を示す電極位置情報との組を複数組示す電極情報を記憶している。例えば、図５に示すように、テレビ等の表示装置と同梱して販売されている眼鏡だけでなく、それ以外の機種の電極情報も蓄積されている。図５に示されるように、本実施の形態では、電極情報記憶部１０９には、「製造メーカ」、「眼鏡モデルＩＤ」および「眼鏡機種ＩＤ」の組み合わせごとに、その眼鏡に装着されている電極（位置「ＲＲ」、「ＲＬ」、「ＲＨ」、「ＲＤ」、「ＲＦ」、「ＲＢ」、「ＦＲ」、「ＦＬ」、「ＦＨ」、「ＦＤ」、「ＦＦ」、「ＦＢ」に装着される電極）の個数（「１」、「２」）が示されている。たとえば、図５の２行目においては、メーカが「Ｐａ社」で、眼鏡モデルＩＤが「ＰＸ２」で、眼鏡機種ＩＤが「ＰＸ２−２１１」である眼鏡においては、「ＲＬ」、「ＲＦ」、「ＬＲ」、「ＬＦ」という位置に電極が装着されていることを示している。ここで、眼鏡に装着されている電極の位置は、図６に示すような３Ｄ視聴用の眼鏡において、各部分の記号が付与されており、この記号によって、その眼鏡のどこに電極が装着されているかを確認することが可能になっている。
【００６４】
さらに、３次元表示テレビ２０２は、視聴者によって現在電源が投入された眼鏡で表示される映像を視聴するか否かを、図８の（ａ）に示すような画面表示を提示することで、確認することも可能である。また、３次元表示テレビ２０２で眼鏡２０３の眼鏡機種ＩＤを確認したことを通知するために、３次元表示テレビ２０２は、図８の（ｂ）に示す内容のデータのように、３次元表示テレビ２０２のＩＤ（通信上のアドレスとなり得るＩＤ）を含む情報を眼鏡２０３に対して送信してもよい。これによって、眼鏡２０３は、今後、送信すべき相手となる表示装置（ここでは、３次元表示テレビ２０２）のＩＤの取得が可能になり、これ以降、眼鏡２０３から３次元表示テレビ２０２にデータを送信するときは、３次元表示テレビ２０２のＩＤであるｔｖ３２１を付与して情報を送信することとなる。なお、このように眼鏡２０３からの送信先となる表示装置（ここでは、３次元表示テレビ２０２）のＩＤを特定しておくことにより、複数台の表示装置（例えば、３次元表示テレビ等）が存在したときにも、複数台の表示装置の中から特定の表示装置を識別して通信することができるので、誤動作することがなくなる。
【００６５】
電極位置判断部１１０は、機種情報受信部１０８で受信した機種情報に対応する、電極情報記憶部１０９で記憶されている電極位置情報を検索することで、電位の測定に利用する電極を決定する。具体的には、図４に示される内容の機種情報を機種情報受信部１０８で受信した場合には、電極位置判断部１１０は、電源が投入された眼鏡２０３の眼鏡機種ＩＤが「ＰＸ１−３４２」であることが、３次元表示テレビ２０２で認識することができる。そして、電極位置判断部１１０は、電極情報記憶部１０９で記憶されている眼鏡機種ＩＤが「ＰＸ１−３４２」である眼鏡を参照することで、その眼鏡では、ＲＬ、ＲＦ、ＲＢ、ＬＲ、ＬＦ、ＬＢの位置に電極が１個ずつ装着されていることがわかる。すなわち、電極位置判断部１１０は、眼鏡２０３に装着された電極が図７のような電極の状態であることを認識することができる。このように、眼鏡２０３の電源が投入されたときに、眼鏡２０３が、眼鏡２０３に記憶されている機種情報（眼鏡機種ＩＤ）の情報を発信し、その機種情報に対応する電極の装着状態に関する情報を３次元表示テレビ２０２側であらかじめ蓄積しておくことで、機種情報を受信した３次元表示テレビ２０２は、眼鏡に装着されている電極の位置を推定することが可能になる。
【００６６】
電位計測部１１１は、眼鏡２０３に装着されている電極を用いて視聴者の生体電位を計測する。本実施の形態における眼鏡２０３の場合には、図７に示したように、６個の電極が装着されており、アースに対する電位を計測することになる。一般には、ＲＢ、ＬＢの電極がアースおよび参照のための電極となり、その他の４個の電極がアースに対する電位差のデータとして測定されることとなる。
【００６７】
電位情報送信部１１２は、電位計測部１１１で計測された生体電位に関する情報に対して送信情報生成部１０６で３次元表示テレビ２０２が解釈可能な形式に加工された情報（電位情報）を３次元表示テレビ２０２に送信する。例えば、図９の（ａ）に示すようなデータフォーマットおよび図９の（ｂ）に示すようなデータ例で、電位情報送信部１１２は、計測された電位情報を送信する。ここでは、電位情報には、ＲＬの位置の電極で計測されたデータや、ＬＲの位置の電極で計測されたデータ等が含まれることとなる。なお、送信される電位情報は、図９の（ｂ）に示されるようなＸＭＬ構造に限定されず、パケットの形式で送信することも可能である。
【００６８】
電位情報受信部１１３は、電位情報送信部１１２から送信されてきた電位情報を受信する。装着判定電極記憶部１１４には、眼鏡を装着しているか否かを判断するために利用する電極に関する情報が記憶されている。図１０は、装着判定電極記憶部１１４に記憶された電極に関する情報の例を示す図である。ここでは、電極に関する情報として、複数の装着確認の方法を識別する情報である「機能詳細」と、装着確認に用いられる電極を特定する「必要な電極位置」と、電極での計測における時間間隔を示す「計測サンプリングタイム」と、装着していると判定するための生体電位のしきい値を示す「電位状態判別」とが格納されている。例えば、図１０に示すように、「装着確認１」の場合であると、必要な電極位置はＲＬ、ＲＲ、ＬＲ、ＬＬとなっており、この中の電極の１つでも生体電位が計測された(より詳しくは、「電位状態判別」に記載された範囲内の電位、あるいは、下限を超える電位である)場合には、視聴者が眼鏡を装着していると判断する。
【００６９】
装着状態判定部１１５は、装着判定電極記憶部１１４に記憶されている電極に関する情報を参照することで、眼鏡２０３の装着状態を検出するために監視すべき電極の電位を電位情報受信部で受け取った生体電位の時系列データから抽出し、抽出した電位が装着判定電極記憶部１１４に格納されている「電位状態判別」で示される範囲内である（あるいは、下限を超える）か否かを判断し、その結果に応じて、視聴者が眼鏡２０３を装着しているか否かを判定する。通常、視聴者の生体電位が計測された場合には、図１１に示すような電位のデータが計測されることとなる。このようなデータが検出された場合には、装着状態判定部１１５は、視聴者が眼鏡２０３の電源を投入し、さらに、眼鏡を装着しているものと判断することが可能になる。
【００７０】
以上のような構成により、視聴者が眼鏡を装着していると判断された場合には、３次元表示テレビ２０２は、図１２に示すように、左目用のシャッタと右目用のシャッタを順次切り替える制御を行う命令（制御信号）を制御信号送信部１０２から送信する。図１２には、１２ｍｓ間隔で送信される制御信号の例が示されている。なお、視聴者が眼鏡を装着していると判断された場合に、３次元表示テレビ２０２は、まず、図１３Ａに示すように、視聴者に対して２Ｄ映像から３Ｄ映像に切り替えることを確認するメッセージを提示し、視聴者からの入力を得られた後に、制御信号を眼鏡２０３に送信するようにしてもよい。
【００７１】
＜３次元画像表示システム全体の動作フロー＞
３次元表示テレビ２０２と眼鏡２０３との通信のシーケンスを図１３Ｂに示す。図１３Ｂにおいては、はじめに３次元表示テレビ２０２の電源が投入（Ｓ１３０１）され、その後に眼鏡２０３の電源が投入（Ｓ１３０２）される。眼鏡２０３の電源が投入されると、眼鏡２０３において、眼鏡の機種情報が機種情報記憶部１０５から読み出され、その機種情報が３次元表示テレビ２０２に通知される（Ｓ１３０３）。例えば、図４示すようなフォーマットの機種情報が送信される（図１３Ｂの通信１）。３次元表示テレビ２０２では、機種情報を機種情報受信部１０８で受信した場合、電極位置判断部１１０は、電極情報記憶部１０９において、登録されている眼鏡の機種情報の中から、いま受信した機種情報を検索する（Ｓ１３０４）。その結果、受信した機種情報が電極情報記憶部１０９に登録されていた場合には、３次元表示テレビ２０２は、登録済であることを示すメッセージを眼鏡２０３の方に返信する（Ｓ１３０５、通信２）。このとき、例えば、図８の（ｂ）に示したような情報を３次元表示テレビ２０２から眼鏡２０３に送信する。このとき、図８の（ｂ）に示されるように、機種情報を登録（あるいは、既に登録されていることを確認）した３次元表示テレビ２０２のＩＤも同時に送信するため、眼鏡２０３は、今後、どの表示装置（本実施の形態では、３次元表示テレビ２０２）に対して情報を送信するのかを認識することが可能になる。なお、「機種情報の登録」とは、３次元表示テレビ２０２（例えば、電極位置判断部１１０等）が、通信相手の眼鏡、あるいは、視聴者による装着を認識した眼鏡の機種情報を、内蔵の記憶部に保持しておくことである。
【００７２】
次に、眼鏡２０３は、所定の間隔で計測された眼鏡２０３の電位のデータに関する情報（電位情報）を３次元表示テレビ２０２に送信する。例えは、図９に示すような電位情報を眼鏡２０３から３次元表示テレビ２０２に送信する（Ｓ１３０６、通信３）。このような電位情報を３次元表示テレビ２０２が確認することで、３次元表示テレビ２０２は、視聴者が眼鏡の装着している状態であるか否かを確認することが可能になる（Ｓ１３０７）。その後は、図１２に示すように、３次元表示テレビ２０２は、３Ｄ表示を行い、所定の間隔で眼鏡２０３のシャッタの開閉を行うための制御信号を図１２に示すようなフォーマットで送信する。
【００７３】
＜テレビ側での動作フロー＞
図１４Ａに３次元表示テレビ２０２の制御フローを示す。はじめに、電源が投入されると、眼鏡２０３からの機種情報の受信待ち状態となる（Ｓ１４０１）。次に、眼鏡２０３から機種情報を受信すると、３次元表示テレビ２０２は、その画面において、例えば、図８の（ａ）に示すような登録確認情報を視聴者に提示する（Ｓ１４０２）。次に、視聴者からの確認入力があった場合には、次のステップへ進むが、視聴者の確認がなかった場合には、このステップを繰り返す（Ｓ１４０３）。眼鏡２０３において開閉状態（眼鏡２０３の「つる」が開いているか閉じているか）を検出できるセンサが装着されている場合には、３次元表示テレビ２０２は、眼鏡２０３から、開閉状態に関する通信を受ける（Ｓ１４０４）。なお、開閉状態を検出するセンサの例としては、図１４Ｂに示す機構および回路で実現することができる。図１４Ｂでは、眼鏡２０３を耳にかける「つる」の部分が閉じられているときには、装着されているスイッチが開放されており（図１４Ｂの（ａ））、眼鏡２０３を装着するために「つる」の部分を伸ばした（「つる」の部分を開いた）ときには、スイッチが押される（図１４Ｂの（ｂ））機構となっている。さらに、スイッチの開閉状態を電位で検出し、図１４Ｂの（ｃ）に示されるように、検出した信号をオペアンプ等のアンプで増幅することで、マイコンで開閉状態を検出することが可能になる。なお、このような電子回路（アンプ、マイコン等）は、眼鏡２０３のシャッタを駆動するための電源と共用可能であり、眼鏡２０３のフレームの中に実装することが可能である。なお、図１４Ｂに示される例では、開閉状態を押しボタンスイッチで検出したが、スライド抵抗等により眼鏡２０３の「つる」の角度に応じて抵抗が変化し、その抵抗の変化分を検出する回路を実装することも可能である。眼鏡２０３が閉じた状態になっている場合には、本ステップを繰り返す。眼鏡２０３が開かれた状態であることが検知された場合には、次のステップへ進む。ただし、開いている状態とは、眼鏡２０３のフレームの部分が開いている状態であり、開いている状態になると電気的にスイッチが入る等で検出が可能になる。
【００７４】
次に、３次元表示テレビ２０２は、眼鏡２０３に装着された電極によって生体電位が取得できているか否かを判断する（Ｓ１４０５）。本ステップでは、図１０でも示したように、所定の電極において、所定の電位差が計測できている場合には、視聴者が眼鏡２０３を装着している状態であると判断する。眼鏡２０３の電極において生体電位が計測されている場合には、Ｓ１４０６へ進む。生体電位が計測されていない場合には、Ｓ１４０８へ進む。
【００７５】
次のステップにおいては、眼鏡２０３が開いた状態で、視聴者が眼鏡２０３を装着している状態であると判断されるため、３次元表示テレビ２０２で表示している画像信号を２Ｄ用の画像信号から３Ｄ用の画像信号に切り替える（Ｓ１４０６）。次に、所定時間（例えば１０分）経過した後に、Ｓ１４０４へ戻り、眼鏡２０３の開閉状態と電極によって生体電位が計測されているか否かを判断する。
【００７６】
次に、眼鏡２０３が開いた状態であるのに、眼鏡２０３の生体電位が計測されていない状態が所定時間（例えば、３０分）継続していた場合（Ｓ１４０８）には、３次元表示テレビ２０２は、眼鏡２０３の電源が投入されて開いた状態で眼鏡２０３が放置されている（視聴者が眼鏡２０３を装着していない）と判断し、視聴者に画面等で通知する（Ｓ１４０９）。これに対して、視聴者から反応（例えば、リモコンによる指示等）がないときには、３次元表示テレビ２０２は、視聴者が３次元表示テレビ２０２の画面を見える状態にないと判断し、眼鏡２０３の電源を切るコマンドを３次元表示テレビ２０２から眼鏡２０３へ送信する（Ｓ１４１０）。さらに、３次元表示テレビ２０２は、登録されている眼鏡の機種情報を削除する（Ｓ１４１１）。
【００７７】
以上の動作を実行することで、本実施の形態における３次元画像表示システムによれば、視聴者によって眼鏡２０３が装着されたときに、３次元表示テレビ２０２において、自動的に３Ｄ映像に切り替えることが可能になり、さらに、眼鏡２０３が放置されている状況では、眼鏡２０３の電源を自動的に切断することで、眼鏡２０３における電池の無駄な消耗を防ぐことが可能になる。
【００７８】
なお、近年、３次元表示テレビ２０２等の表示装置はインターネット等の外部ネットワークに接続されていることが多い。そのため、電極情報記憶部１０９で記憶されている電極に関する情報は、通信ネットワークを介して、逐次更新されるような構成にしてもよい。
【００７９】
（実施の形態の変形例１）
次に、本発明に係る、上記実施の形態の変形例１を説明する。
【００８０】
上記実施の形態においては、眼鏡の機種情報が３次元表示テレビに登録されている場合の処理の流れについて説明した。しかしながら、眼鏡の機種情報が３次元表示テレビに登録されていない場合もある。具体的には、機種情報受信部１０８で受信した機種情報が電極情報記憶部１０９に存在しなかった場合には、３次元表示テレビ側は、眼鏡においてどのような電極が装着されているか判断できない。たとえば、図１６に示す眼鏡の場合には、図５の表（つまり、電極情報記憶部１０９に）に眼鏡機種ＩＤが「ＰＸ２−２１１」として登録されており、図１７に示す眼鏡の場合には、図５の表（つまり、電極情報記憶部１０９に）に眼鏡機種ＩＤが「ＳＡ１−０１」として電極情報記憶部１０９登録されているため、３次元表示テレビは、機種情報のみで眼鏡の電極の装着位置を確認することができる。しかしながら、図１８に示すように、Ｓｈ社製の「ＳＸ１−５３２」という眼鏡機種ＩＤの場合には、図５の表（つまり、電極情報記憶部１０９に）に、その眼鏡機種ＩＤが存在しないため、そのような機種情報を眼鏡が３次元表示テレビに送信しても、３次元表示テレビは、眼鏡の電極の装着位置について確認することができない。図１８は、ある眼鏡の電極の装着位置（図１８の（ｂ））とその登録内容（眼鏡位置情報、図１８の（ａ））を示す図である。
【００８１】
電極の位置が確認できない場合、電極で電位が検出されても、その電位によって視聴者の皮膚と接触していることがわかっても、眼鏡をかけている状態か否かを３次元表示テレビが判断することが困難である。例えば、図６のＲＢやＬＢの位置にある電極で生体電位が計測されたとしても、その位置における電極は、眼鏡を手で保持している状態であっても、手が接触していることが多く、必ずしも眼鏡を装着しているとは限らない。また、ＲＲ、ＲＬの位置の電極で眼球の左右の運動を計測することが可能であり、その眼球運動から眼精疲労の状態を計測することも考えられる。しかしながら、眼鏡の電極の装着位置が３次元表示テレビ２０２で確認できなければ、電極の電位によって視聴者の状態を推定することも困難である。
【００８２】
そこで、本変形例においては、眼鏡の機種情報が電極情報記憶部１０９に登録されていない場合には、電極の装着位置に関する情報を眼鏡から３次元表示テレビに送信することで、３次元表示テレビ側は、電極の電位の変化を計測できた場合に、その処理方法を決定（つまり、電位を用いた機能を実行）することが可能になる。
【００８３】
本変形例における３次元画像表示システムの構成例を図１５に示す。この３次元画像表示システムは、表示装置の一例である３次元表示テレビ２０２ａと、３次元用眼鏡の一例である、生体センサ付３次元用の眼鏡２０３ａとから構成される。図１５において、図１と同様の機能をもつモジュールに関しては、同一番号を付与し説明を省略する。上記実施の形態に対して、新たに追加されたモジュールについて説明する。
【００８４】
本変形例における３次元表示テレビ２０２ａは、上記実施の形態における３次元表示テレビ２０２の構成に加えて、更に、電極情報要求送信部１５０１および電極位置受信部１５０５を備える。一方、眼鏡２０３ａは、上記実施の形態における眼鏡２０３の構成に加えて、更に電極情報要求受信部１５０２、電極位置情報記憶部１５０３および電極位置送信部１５０４を備える。
【００８５】
電極情報要求送信部１５０１は、電極情報記憶部１０９に記憶されている電極情報において機種情報受信部１０８が受信した機種情報が存在しなかった場合に、眼鏡２０３ａが有する電極の位置を示す電極位置情報の送信を眼鏡２０３ａに要求する通信部である。
【００８６】
電極情報要求受信部１５０２は、電極情報要求送信部１５０１から送信された要求を受信する通信部である。
【００８７】
電極位置情報記憶部１５０３は、眼鏡２０３ａが有する電極の装着位置に関する情報（電極位置情報）を記憶しているメモリ等である。図１８の（ａ）は、電極位置情報記憶部１５０３に記憶されている情報の例を示している。ここには、工場出荷時に設定された、「電極位置情報」を含む各種情報が記憶されている様子が示されている。
【００８８】
電極位置送信部１５０４は、電極位置情報記憶部１５０３で記憶されている電極位置情報に対して送信情報生成部１０６が３次元表示テレビ２０２ａで受信できる形式に加工した情報（加工後の電極位置情報）を３次元表示テレビ２０２ａに送信する通信部である。
【００８９】
電極位置受信部１５０５は、電極位置送信部１５０４から送信されてきた電極位置情報を受信する通信部である。
【００９０】
次に、以上のように構成された本変形例における３次元画像表示システムの動作について説明する。
【００９１】
いま、機種情報受信部１０８は、眼鏡２０３ａからの機種情報として、眼鏡機種ＩＤ「ＳＸ１−５３２」を受信したとする。このとき、電極位置判断部１１０は、電極情報記憶部１０９で記憶されている電極情報（図５の表）を検索するが、「ＳＸ１−５３２」という眼鏡機種ＩＤが存在しない。そこで、電極情報要求送信部１５０１は、眼鏡２０３ａに対して電極の装着位置に関する情報（電極位置情報）の送信を要求する。例えば、電極情報要求送信部１５０１は、図１９の（ａ）に示すような送信要求を示すデータを生成し、生成したデータを眼鏡２０３ａに送信することで、眼鏡２０３ａに対して電極の位置を伝えるように要求する。
【００９２】
一方、電極情報要求受信部１５０２は、図１９の（ａ）に示すデータを受信した場合に、電極位置情報記憶部１５０３で記憶している情報から、電極位置情報（ここでは、ＲＲ、ＲＦ、ＬＲ、ＬＦの４つの電極が装着されていることを示す情報）を検索する。なお、電極位置情報は、図６で示したように、事前に規格として設定された形式で表現されている（その規格では、電極の配置に対応した表現が規定されている）。
【００９３】
電極位置送信部１５０４では、電極位置情報記憶部１５０３で記憶されている電極位置情報を送信する。ただし、本実施の形態では、電極位置情報記憶部１５０３で記憶されているＲＬ、ＲＦ、ＬＲ、ＬＦの４つの電極の位置を示す電極位置情報は、送信情報生成部１０６で図１９の（ｂ）に示すようなフォーマットに加工された後に、送信される。そして、図１９の（ｂ）に示される電位位置情報が電極位置受信部１５０５で受信されることで、電源が投入された眼鏡２０３ａの電極状態を３次元表示テレビ２０２ａで確認することができるようになる。なお、電極情報記憶部１０９では、眼鏡２０３ａから受信された新たな機種情報、つまり、新たな眼鏡機種ＩＤに対する新たな電極位置情報が記憶されてもよい。
【００９４】
（実施の形態の変形例２）
次に、本発明に係る、上記実施の形態の変形例２を説明する。
【００９５】
上記実施の形態においては、電極での生体電位を利用して視聴者が眼鏡を装着しているか否かを判断した。しかしながら、生体電位を用いた機能としては、視聴者の装着状態だけでなく、視聴者の眼球運動の計測等も可能である。この場合、眼鏡に装着されている電極の位置の情報に応じて、例えば３次元表示テレビ２０２で提供できる機能を選択し、視聴者が選択的に利用することも可能である。これを実現するためには、３次元表示テレビ２０２において、電極を利用した機能に対してどの電極の電位の情報が必要かの情報を事前に蓄積しておく必要がある。そこで、本変形例では、眼鏡で得られる生体電位を利用して複数の機能を選択的に実行することが可能な３次元画像表示システムを説明する。
【００９６】
本変形例２における３次元画像表示システムの構成例を図２０に示す。この３次元画像表示システムは、表示装置の一例である３次元表示テレビ２０２ｂと、３次元用眼鏡の一例である、生体センサ付３次元用の眼鏡２０３ｂとから構成される。なお、上記実施の形態と同様の動作を行うモジュールに関しては、同じ番号を付与する。本変形例で新たに追加されたモジュールについて、図２０を用いて説明する。
【００９７】
３次元表示テレビ２０２ｂは、上記実施の形態における３次元表示テレビ２０２の構成に加えて、更に、機能電極対応情報記憶部２００１、機能決定部２００２、電極選択部２００３および電極情報送信部２００４を備える。一方、眼鏡２０３ｂは、上記実施の形態における眼鏡２０３の構成に加えて、更に電極情報受信部２００５、送信電位選択部２００６を備える。
【００９８】
機能電極対応情報記憶部２００１は、眼鏡に装着された電極における生体電位を用いた、３次元表示テレビ２０２ｂの機能と、その機能に対して必要となる電極の位置を示す電極位置情報とを対応づけた機能電極対応情報を予め記憶しているメモリ等である。ここでは、機能電極対応情報記憶部２００１は、生体電位を用いた３次元表示テレビ２０２ｂの機能に対して必要な電極位置を示す対応表として機能電極対応情報を蓄積している。
【００９９】
機能決定部２００２は、機能電極対応情報記憶部２００１に記憶された機能電極対応情報を参照することで、電極位置判断部１１０で判断された電極の位置を示す電極位置情報に対応する機能を特定することで、機能電極対応情報記憶部２００１に記憶されている機能の中から３次元表示テレビ２０２ｂが実現できる機能を決定する処理部である。ここでは、機能決定部２００２は、機能電極対応情報記憶部２００１と電極位置判断部１１０で得た眼鏡の電極位置の情報から、３次元表示テレビ２０２ｂで実現できる機能を決定する。
【０１００】
電極選択部２００３は、機能決定部２００２で決定された機能を実現するために必要な電極として、眼鏡２０３ｂに装着されている電極の中から一部の電極を特定する処理部である。本実施の形態では、電極選択部２００３は、機能決定部２００２で決定された機能に基づいて、電極位置判断部１１０で得た電極位置のうち必要な電極の情報を選択する。
【０１０１】
電極情報送信部２００４は、電極選択部２００３で選択された電極の位置に関する情報（つまり、電極を特定する情報）を眼鏡２０３ｂに送信する通信部である。
【０１０２】
電極情報受信部２００５は、３次元表示テレビ２０２ｂから送信されてきた電極の情報を受信する通信部である。
【０１０３】
送信電位選択部２００６は、電位計測部１１１で計測された電位の中から、電極情報受信部２００５で受信した電極の情報で特定される電極における電位だけを選択して送信情報生成部１０６へ出力する処理部である。
【０１０４】
次に、各モジュールの動作について説明する。機能電極対応情報記憶部２００１には、３次元表示テレビ２０２ｂで実現できる機能とそれに必要な電極の位置に関する情報（電極位置情報）との対応（機能電極対応情報）が記憶されている。図２１は、機能電極対応情報記憶部２００１に記憶されている機能電極対応情報の一例を示す図である。ここでは、例えば、図２１の機能「装着確認」に示されるように、視聴者における眼鏡の装着を確認して２Ｄ表示から３Ｄ表示に切り替える機能を実現するためには、必要な電極位置としてＲＬ、ＲＲ、ＬＲ、ＬＬの４つの電極が必要なことが示されている。また、図２１の機能「輻輳による疲労計測」に示されるように、輻輳による眼球の疲労計測機能を実現するためにも、４つの電極（ＲＬ、ＲＲ、ＬＲ、ＬＬ）が必要となっているが、図２１の機能「瞬き回数による疲労計測」に示されるように、同じ疲労計測でも瞬き回数による疲労計測の場合には、左右の眼球運動のどちらか片方のまばたき回数からも測定可能であるため、右目の眼球運動が計測可能なＲＬ、ＲＲか、左目の眼球運動が計測可能なＬＲ、ＬＬの電極が装着されている眼鏡であれば計測可能であること（「（ＲＬ、ＲＲ）または（ＬＲ、ＬＬ）」）が示されている。このように、機能電極対応情報記憶部２００１では、３次元表示テレビ２０２ｂが有する機能に対して必要な電極を特定する情報（ここでは、電極位置情報）が記憶されている。
【０１０５】
次に、機能決定部２００２は、電極位置判断部１１０で検出された眼鏡に装着されている電極位置と、機能電極対応情報記憶部２００１で記憶されている電極位置情報とから、本３次元表示テレビ２０２ｂで実現できる機能を決定する。例えば、電極位置判断部１１０での判断結果により、動作している眼鏡に装着されている電極が、ＲＬ、ＲＲの２つしかない電極付き眼鏡であることが判明している場合には、機能決定部２００２は、簡易的な眼鏡の装着確認の機能しか実現することができないと判断する。一方、電極位置判断部１１０での判断結果により、ＲＬ、ＲＲ、ＬＲ、ＬＬに電極が装着されていることが判明している場合には、図２１のすべての機能が実現できることとなるので、機能決定部２００２は、図２２に示すように、画面で、実現できる機能を提示し、視聴者に選択入力を促す。その結果、電極選択部２００３は、選択された機能に必要な電極の位置を特定し、特定した電極の位置を示す情報を、電極情報送信部２００４を介して、眼鏡２０３ｂに通知する。ここで、電極情報送信部２００４では、例えば、図２３に示すように、ＲＬ、ＲＦ、ＬＲ、ＬＦの電極の電位の情報だけを送信するように、眼鏡２０３ｂに要求する。
【０１０６】
電極情報受信部２００５は、図２３の情報を受信し、３次元表示テレビ２０２ｂで必要な電極の情報を得る。その結果、電極情報受信部２００５で受信された情報は送信電位選択部２００６に伝達され、送信電位選択部２００６によって、３次元表示テレビ２０２ｂに電位情報を送信する対象となる電極が絞られる。本変形例では、送信電位選択部２００６に、ＲＬ、ＲＦ、ＬＲ、ＬＦの電極位置が登録され、これらの電極の電位情報だけが選択されて眼鏡２０３ｂから３次元表示テレビ２０２ｂに送信される。つまり、電位情報送信部１１２は、電位計測部１１１での計測で得られた電位情報のうち、電極情報受信部２００５で受信された電極の情報で特定される電極で計測された生体電位に関する電位情報を３次元表示テレビ２０２ｂに送信する。
【０１０７】
以上の動作によって、多くの電極が装着されている眼鏡であっても、３次元表示テレビ２０２ｂで必要とされている機能に応じて、眼鏡は、必要な電極の電位情報を選択的に送信することができ、通信コストを削減することが可能になる。
【０１０８】
（実施の形態の変形例３）
次に、本発明に係る、上記実施の形態の変形例３を説明する。
【０１０９】
３次元表示テレビと眼鏡との双方向通信を行うことによる、動的な組合せが可能になると、１つの眼鏡で複数の３次元表示テレビの３Ｄ映像を視聴できるようになる。そのため、眼鏡の電源が投入されたときに、眼鏡が機種情報を発信すると、複数の３次元表示テレビで利用できるようになる。しかしながら、実際に視聴者が視聴するのは、１台の３次元表示テレビであるため、別の３次元表示テレビにおいては、その眼鏡に対応した処理を行うべきでない。具体的には、対応する次元表示テレビは２Ｄ表示から３Ｄ表示に切り替わっても、別の３次元表示テレビは３２Ｄ表示からＤへ変更すべきでない場合がある。
【０１１０】
そこで、本変形例では、３次元表示テレビにおいて眼鏡の機種情報が登録された場合に、３次元表示テレビが、登録された眼鏡と連携して動作させるということを、別の３次元表示テレビに知らせる。
【０１１１】
図２４は、本変形例における３次元画像表示システムの構成例を示す図である。この３次元画像表示システムは、表示装置の一例である３次元表示テレビ２０２ｃと、３次元用眼鏡の一例である、生体センサ付３次元用の眼鏡２０３とから構成される。なお、上記実施の形態と同様の動作を行うモジュールに関しては、同じ番号を付与する。本変形例で新たに追加されたモジュールについて、図２４を用いて説明する。
【０１１２】
３次元表示テレビ２０２ｃは、上記実施の形態における３次元表示テレビ２０２の構成に加えて、更に、確認情報表示部２４０１および登録情報送信部２４０２を備える。
【０１１３】
確認情報表示部２４０１は、機種情報受信部１０８が機種情報を受信した場合に、受信した機種情報を視聴者に提示（３次元表示テレビ２０２ｃが有する画面に表示）する処理部である。
【０１１４】
登録情報送信部２４０２は、確認情報表示部２４０１による表示に対して、視聴者からの入力があった場合に、３次元表示テレビ２０２ｃと眼鏡２０３とを連携して動作させることを、別の３次元表示テレビ等の表示装置に対して送信する通信部である。
【０１１５】
より詳しくは、３次元表示テレビ２０２ｃにおいて機種情報受信部１０８が受信した眼鏡機種ＩＤを登録するときに、確認情報表示部２４０１が、図８の（ａ）に示すように、視聴者に確認画面を提示し、視聴者の確認が得られた場合には、登録情報送信部２４０２が、眼鏡機種ＩＤと３次元表示テレビ２０２ｃのＩＤ（通信上のアドレスとなり得るＩＤ）をブロードキャストする。その結果、眼鏡の機種情報を既に受信していた別の３次元表示テレビは、３次元表示テレビ２０２ｃの登録情報送信部２４０２から発信される内容を確認することができ、眼鏡の機種情報の登録を行わないようにする。これにより、複数の３次元表示テレビ等の表示装置が存在する環境下であっても、視聴者が使用している眼鏡の機種情報は、視聴者が確認した一台の表示装置（ここでは、３次元表示テレビ）にだけに登録されることが実現される。
【０１１６】
眼鏡の機種情報が所定の表示装置（ここでは、３次元表示テレビ）で登録されたことを示す情報をブロードキャストする概念図を図２５Ａに示す。図２５Ａでは、リビングにある３Ｄテレビ１において、眼鏡２０３の機種情報が登録された場合には、無線ネットワークを介して、リビングにある３Ｄテレビ１は、無線が到達可能な表示装置（ここでは、３Ｄテレビ２）に対して、眼鏡２０３の機種情報が登録されたことを通知する。図２５Ａでは、無線ネットワークが到達可能な範囲に、キッチンにある３Ｄテレビ２や、リビングに存在するパーソナルコンピュータ用ディスプレイ（図示されず）が存在し、これらの３Ｄ表示可能な表示装置は、眼鏡２０３の機種情報が３Ｄテレビ１に登録されたことを知る。これにより、リビングのある３Ｄテレビ１のみが眼鏡２０３と連携して動作することが可能になり、無線ネットワークが到達可能な他の表示装置は、眼鏡２０３と連携して動作しないように設定することが可能になる。すなわち、眼鏡２０３を装着した視聴者が、３Ｄ表示が可能なパーソナルコンピュータのディスプレイの前に移動したとしても、眼鏡２０３は、リビングにある３Ｄテレビ１からの制御信号で動作することとなり、誤動作をすることがない。
【０１１７】
具体的なフローについて、図２５Ａのシーケンスを用いて説明する。図２５Ａは、上記実施の形態で説明した図１３Ｂのシーケンスと基本的には同一であるため、同様の処理に関しては説明を省略する。Ｓ２５０３においては、眼鏡２０３から、図２６の（ａ）に示す情報が発信され、それを受信した３Ｄテレビ１および３Ｄテレビ２は、図８の（ａ）に示したような登録画面を視聴者に提示する。その後、視聴者から登録の入力があったテレビ（ここでは、３Ｄテレビ１）から、図２６の（ｂ）に示すような情報、つまり、表示装置「ｔｖ３２１」と眼鏡「３２４ＡＳ８９７３２」との連携が登録されたことを示す情報が、ブロードキャストされる（Ｓ２５０７）。その結果、眼鏡２０３の機種情報を受信したにもかかわらず、他の３Ｄテレビ（ここでは、３Ｄテレビ１）との連携確立の通信内容を受信した３Ｄテレビ２は、眼鏡２０３の機種情報の登録を削除することになる（Ｓ２５０８）。これにより、３Ｄテレビ１と眼鏡２０３との連携が成立し、３Ｄテレビ１からの制御信号（左右画像のシャッタ切り替え信号）によって、眼鏡が制御されることとなる。
【０１１８】
以上、本発明に係る３次元画像表示システム、３次元画像表示方法および３次元用眼鏡について、実施の形態、その変形例１〜３を用いて説明したが、本発明は、これらの実施の形態および変形例に限定されるものではない。本発明の主旨を逸脱しない範囲で、各実施の形態および変形例に対して当業者が思いつく各種変形を施して得られる形態や、各実施の形態および変形例における構成要素を任意に組み合わせて得られる形態も、本発明に含まれる。
【０１１９】
また、上記ブロック図（図１、図１５、図２０、図２４）の各機能ブロックは、半導体集積回路であるＬＳＩで実現されてもよい。そのＬＳＩは、機能ブロックごとに１チップ化されてもよいし、一部又は全てを含むように、表示装置または眼鏡を構成する単位で、１チップ化されてもよい。なお、ここでは、ＬＳＩとは、集積度の違いにより、ＩＣ、システムＬＳＩ、スーパーＬＳＩ、ウルトラＬＳＩと呼称されるものが含まれる。
【０１２０】
また、集積回路化の手法としては、ＬＳＩ化に限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用して集積回路化をしてもよい。
【０１２１】
また、本発明に係る３次元画像表示システムを構成する表示装置（本実施の形態等における３次元表示テレビ）は、コンピュータシステムおよびソフトウェアで実現されてもよい。図２７は、本実施の形態における３次元表示テレビをコンピュータシステム１９およびソフトウェアで実現する場合に用いられるハードウェア構成を示すブロック図である。このコンピュータシステム１９は、図２７に示されるように、キーボード、マウス等の入力部１１、ハードディスク等の記憶部１２と、ディスプレイ装置等の出力部１３、ＣＰＵ１４、ＲＯＭ１５、ＲＡＭ１６、および、外部機器との間で信号の入出力をする入出力Ｉ／Ｆ１７で構成される。具体的には、３次元表示テレビの制御信号送信部１０２、機種情報受信部１０８、電位情報受信部１１３、電極情報要求送信部１５０１および電極位置受信部１５０５は、入出力Ｉ／Ｆ１７で実現される。また、３次元表示テレビの機種情報記憶部１０５、装着判定電極記憶部１１４および機能電極対応情報記憶部２００１は、記憶部１２で実現される。また、３次元表示テレビの画面制御部１０１、電極位置判断部１１０、装着状態判定部１１５、機能決定部２００２および電極選択部２００３は、ＲＯＭ１５または記憶部１２に格納されたプログラムに従ってＲＡＭ１６を一時的な記憶エリアとして利用しながらＣＰＵ１４が実行することによって実現される。ここで、コンピュータプログラムは、所定の機能を達成するために、コンピュータに対する指令を示す命令コードが複数個組み合わされて構成されたものである。
【０１２２】
すなわち、そのようなプログラムは、表示装置のためのプログラムであって、３次元用眼鏡から送信されてくる、３次元用眼鏡の機種を識別する情報である機種情報を受信する機種情報受信ステップと、予め対応づけられた、機種情報と３次元用眼鏡が有する電極の位置を示す電極位置情報との組を複数組示す電極情報を参照することで、機種情報受信ステップで受信された機種情報に対応する電極位置情報を抽出し、抽出した電極位置情報に基づいて前記３次元用眼鏡が有する電極の位置を判断する電極位置判断ステップと、３次元用眼鏡から送信されてくる、３次元用眼鏡に装着された電極によって計測された視聴者の生体電位を示す電位情報を受信する電位情報受信ステップと、電極位置判断ステップで判断された電極の位置と電位情報受信ステップで受信された電位情報とに基づいて、電極の位置と電位情報が示す生体電位とを対応づけることで、視聴者における３次元用眼鏡の装着状態を判定する装着状態判定ステップとをコンピュータ（あるいは、プロセッサ）に、実行させてもよい。
【０１２３】
また、上記実施の形態における表示装置を構成する構成要素の一部または全部は、脱着可能なＩＣカードまたは単体のモジュールから構成されてもよい。ＩＣカードまたはモジュールは、マイクロプロセッサ、ＲＯＭ、ＲＡＭなどから構成されるコンピュータシステムである。ＩＣカードまたはモジュールは、超多機能ＬＳＩを含んでもよい。マイクロプロセッサが、コンピュータプログラムにしたがって動作することにより、ＩＣカードまたはモジュールは、その機能を達成する。このＩＣカードまたはこのモジュールは、耐タンパ性を有してもよい。
【０１２４】
また、本発明は、上記実施の形態におけるフローチャートに示す方法として実現してもよい。また、その方法をコンピュータにより実現するコンピュータプログラムとして実現してもよいし、そのコンピュータプログラムを表すデジタル信号として実現してもよい。さらに、そのコンピュータプログラムまたはデジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録した記録媒体として実現してもよい。
【０１２５】
また、上記コンピュータプログラムまたはデジタル信号は、電気通信回線、無線または有線通信回線、インターネットを代表とするネットワーク、データ放送等を経由して伝送することができるのは言うまでもない。
【０１２６】
また、上記コンピュータプログラムまたはデジタル信号を記録媒体に記録して移送することにより、または、上記コンピュータプログラムまたはデジタル信号を、ネットワーク等を経由して移送することにより、独立した他のコンピュータシステムにより、本発明に係る３次元画像表示システムにおける表示装置またはその方法を実施してもよい。
【産業上の利用可能性】
【０１２７】
本発明にかかる３次元画像表示システムは、専用メガネを用いて立体映像を視聴する画像表示システムに広く利用可能であり、映画館のスクリーン、テレビ、コンピュータの表示画面等で３次元映像を表示する際に有用である。さらに、本発明は、コンテンツ視聴のみでなく、画像診断装置や内視鏡等の医療機器の画像表示や、手術や乗り物のシミュレーション等ゲームや教育訓練用のシステム等の用途に応用できる。
【符号の説明】
【０１２８】
１１    入力部
１２    記憶部
１３    出力部
１４    ＣＰＵ
１５    ＲＯＭ
１６    ＲＡＭ
１７    入出力Ｉ／Ｆ
１９    コンピュータシステム
１０１  画面制御部
１０２  制御信号送信部
１０３  制御信号受信部
１０４  シャッタ制御部
１０５  機種情報記憶部
１０６  送信情報生成部
１０７  機種情報送信部
１０８  機種情報受信部
１０９  電極情報記憶部
１１０  電極位置判断部
１１１  電位計測部
１１２  電位情報送信部
１１３  電位情報受信部
１１４  装着判定電極記憶部
１１５  装着状態判定部
２０１  ＤＶＤ再生装置
２０２、２０２ａ、２０２ｂ、２０２ｃ  ３次元表示テレビ（表示装置）
２０３、２０３ａ、２０３ｂ  眼鏡（３次元用眼鏡）
２１２、２１３  アンテナ
２２１〜２２４  電極
２３０  シャッタ
１５０１  電極情報要求送信部
１５０２  電極情報要求受信部
１５０３  電極位置情報記憶部
１５０４  電極位置送信部
１５０５  電極位置受信部
２００１  機能電極対応情報記憶部
２００２  機能決定部
２００３  電極選択部
２００４  電極情報送信部
２００５  電極情報受信部
２００６  送信電位選択部
２４０１  確認情報表示部
２４０２  登録情報送信部
【図１】
2012160758.tif 000003
【図２】
2012160758.tif 000004
【図３】
2012160758.tif 000005
【図４】
2012160758.tif 000006
【図５】
2012160758.tif 000007
【図６】
2012160758.tif 000008
【図７】
2012160758.tif 000009
【図８】
2012160758.tif 000010
【図９】
2012160758.tif 000011
【図１０】
2012160758.tif 000012
【図１１】
2012160758.tif 000013
【図１２】
2012160758.tif 000014
【図１３Ａ】
2012160758.tif 000015
【図１３Ｂ】
2012160758.tif 000016
【図１４Ａ】
2012160758.tif 000017
【図１４Ｂ】
2012160758.tif 000018
【図１５】
2012160758.tif 000019
【図１６】
2012160758.tif 000020
【図１７】
2012160758.tif 000021
【図１８】
2012160758.tif 000022
【図１９】
2012160758.tif 000023
【図２０】
2012160758.tif 000024
【図２１】
2012160758.tif 000025
【図２２】
2012160758.tif 000026
【図２３】
2012160758.tif 000027
【図２４】
2012160758.tif 000028
【図２５Ａ】
2012160758.tif 000029
【図２５Ｂ】
2012160758.tif 000030
【図２６】
2012160758.tif 000031
【図２７】
2012160758.tif 000032
【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
視聴者に３次元画像を提示する３次元画像表示システムであって、
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、前記視聴者の顔面または頭部に装着される３次元用眼鏡とを備え、
前記３次元用眼鏡は、
前記３次元用眼鏡の機種を識別する情報である機種情報を前記表示装置に送信する機種情報送信部と、
前記３次元用眼鏡に装着された電極によって前記視聴者の生体電位を計測する電位計測部と、
前記電位計測部で計測された生体電位の情報を電位情報として前記表示装置に送信する電位情報送信部とを有し、
前記表示装置は、
前記機種情報送信部から送信されてきた機種情報を受信する機種情報受信部と、
予め対応づけられた、機種情報と当該機種情報をもつ３次元用眼鏡が有する電極の位置を示す電極位置情報との組を複数組示す電極情報を参照することで、前記機種情報受信部が受信した機種情報に対応する電極位置情報を抽出し、抽出した電極位置情報に基づいて前記３次元用眼鏡が有する電極の位置を判断する電極位置判断部と、
前記電位情報送信部から送信されてきた電位情報を受信する電位情報受信部と、
前記電極位置判断部で判断された電極の位置と、前記電位情報受信部で受信された電位情報とに基づいて、前記電極の位置と前記電位情報が示す生体電位とを対応づけることで、前記視聴者における前記３次元用眼鏡の装着状態を判定する装着状態判定部とを有する
３次元画像表示システム。
【請求項２】
前記装着状態判定部は、予め定められた位置に装着された少なくとも一つの電極における生体電位が予め定められた値を超える場合に、前記装着状態として、前記３次元用眼鏡が前記視聴者に装着されていると判定する
請求項１記載の３次元画像表示システム。
【請求項３】
前記表示装置はさらに、
前記電極情報において、前記機種情報受信部が受信した機種情報が存在しなかった場合に、前記３次元用眼鏡が有する電極の位置を示す電極位置情報の送信を前記３次元用眼鏡に要求する電極情報要求送信部を有し、
前記３次元用眼鏡はさらに、
前記電極情報要求送信部から前記要求を受信する電極要求受信部と、
前記電極要求受信部が前記要求を受信した場合に、前記３次元用眼鏡が有する電極の位置を示す電極位置情報を前記表示装置に送信する電極位置送信部とを有し、
前記装着状態判定部はさらに、前記電極位置送信部から送信されてきた電極位置情報が示す電極の位置と前記電位情報受信部で受信された電位情報とに基づいて、前記装着状態を判定する
請求項１または２記載の３次元画像表示システム。
【請求項４】
前記表示装置はさらに、
前記３次元用眼鏡に装着された電極における生体電位を用いた、前記表示装置の機能と前記機能に対して必要となる電極の位置を示す電極位置情報とを対応づけた機能電極対応情報を予め記憶している機能電極対応情報記憶部と、
前記機能電極対応情報記憶部に記憶された機能電極対応情報を参照することで、前記電極位置判断部で判断された電極の位置を示す電極位置情報に対応する機能を特定することで、前記機能電極対応情報記憶部に記憶されている機能の中から前記表示装置が実現できる機能を決定する機能決定部とを有する
請求項１〜３のいずか１項に記載の３次元画像表示システム。
【請求項５】
前記表示装置はさらに、
前記機能決定部で決定された機能を実現するために必要な電極として、前記３次元用眼鏡に装着されている電極の中から一部の電極を特定する電極選択部と、
前記電極選択部で選択された電極を特定する情報を前記３次元用眼鏡に送信する電極情報送信部とを有する
請求項４記載の３次元画像表示システム。
【請求項６】
前記３次元用眼鏡はさらに、
前記電極情報送信部から送信されてきた電極の情報を受信する電極情報受信部を有し、
前記電位情報送信部は、前記電位計測部での計測で得られた電位情報のうち、前記電極情報受信部で受信された電極の情報で特定される電極で計測された生体電位に関する電位情報を前記表示装置に送信する
請求項５記載の３次元画像表示システム。
【請求項７】
前記表示装置はさらに、
前記機種情報受信部が機種情報を受信した場合に、受信した機種情報を表示する確認情報表示部と、
前記確認情報表示部による表示に対して、前記視聴者からの入力があった場合には、前記表示装置と前記３次元用眼鏡とを連携して動作させることを、別の表示装置に対して送信する登録情報送信部とを有する
請求項１〜６のいずれか１項に記載の３次元画像表示システム。
【請求項８】
視聴者に３次元画像を提示する３次元画像表示システムによる３次元画像表示方法であって、
前記３次元画像表示システムは、
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、視聴者の顔面または頭部に装着する３次元用眼鏡とを備え、
前記３次元画像表示方法は、
前記３次元用眼鏡が、前記３次元用眼鏡の機種を識別する情報である機種情報を前記表示装置に送信する機種情報送信ステップと、
前記表示装置が、前記機種情報送信部から送信されてきた機種情報を受信する機種情報受信ステップと、
前記表示装置が、予め対応づけられた、機種情報と３次元用眼鏡が有する電極の位置を示す電極位置情報との組を複数組示す電極情報を参照することで、前記機種情報受信ステップで受信された機種情報に対応する電極位置情報を抽出し、抽出した電極位置情報に基づいて前記３次元用眼鏡が有する電極の位置を判断する電極位置判断ステップと、
前記３次元用眼鏡が、前記３次元用眼鏡に装着された電極によって前記視聴者の生体電位を計測する電位計測ステップと、
前記３次元用眼鏡が、前記電位計測ステップで計測された生体電位の情報を電位情報として前記表示装置に送信する電位情報送信ステップと、
前記表示装置が、前記電位情報送信ステップで送信された電位情報を受信する電位情報受信ステップと、
前記表示装置が、前記電極位置判断ステップで判断された電極の位置と、前記電位情報受信ステップで受信された電位情報とに基づいて、前記電極の位置と前記電位情報が示す生体電位とを対応づけることで、前記視聴者における前記３次元用眼鏡の装着状態を判定する装着状態判定ステップと
を含む３次元画像表示方法。
【請求項９】
視聴者の顔面または頭部に装着され、表示装置と連携して動作する３次元用眼鏡であって、
透過状態と非透過状態とを切替可能な右目側シャッタ及び左目側シャッタと、
前記３次元用眼鏡の機種を識別する情報である機種情報を前記表示装置に送信する機種情報送信部と、
前記３次元用眼鏡に装着された電極によって前記視聴者の生体電位を計測する電位計測部と、
前記電位計測部で計測された生体電位の情報を電位情報として前記表示装置に送信する電位情報送信部と、
前記表示装置から、電極の位置を示す電極位置情報の送信についての要求を受信する電極要求受信部と、
前記電極要求受信部が前記要求を受信した場合に、前記３次元用眼鏡が有する電極の位置を示す電極位置情報を前記表示装置に送信する電極位置送信部とを備える
３次元用眼鏡。
【請求項１０】
さらに、前記表示装置から、前記３次元用眼鏡に装着されている電極の中から選択された一部の電極を特定する情報を受信する電極情報受信部を備え、
前記電位情報送信部は、前記電位計測部での計測で得られた電位情報のうち、前記電極情報受信部で受信された情報で特定される電極で計測された生体電位に関する電位情報を前記表示装置に送信する
請求項９記載の３次元用眼鏡。
【請求項１１】
右目用画像と左目用画像とを交互に表示する表示装置と、
左目側のシャッタおよび右目側のシャッタを有し、前記表示装置において左目用画像が表示されるときに前記左目側のシャッタを透過状態にし、前記表示装置において右目用画像が表示されるときに前記右目側のシャッタを透過状態にする、視聴者の顔面または頭部に装着する３次元用眼鏡とから構成される３次元画像表示システムにおける前記表示装置のためのプログラムであって、
前記３次元用眼鏡から送信されてくる、前記３次元用眼鏡の機種を識別する情報である機種情報を受信する機種情報受信ステップと、
予め対応づけられた、機種情報と３次元用眼鏡が有する電極の位置を示す電極位置情報との組を複数組示す電極情報を参照することで、前記機種情報受信ステップで受信された機種情報に対応する電極位置情報を抽出し、抽出した電極位置情報に基づいて前記３次元用眼鏡が有する電極の位置を判断する電極位置判断ステップと、
前記３次元用眼鏡から送信されてくる、前記３次元用眼鏡に装着された電極によって計測された前記視聴者の生体電位を示す電位情報を受信する電位情報受信ステップと、
前記電極位置判断ステップで判断された電極の位置と、前記電位情報受信ステップで受信された電位情報とに基づいて、前記電極の位置と前記電位情報が示す生体電位とを対応づけることで、前記視聴者における前記３次元用眼鏡の装着状態を判定する装着状態判定ステップと
をコンピュータに実行させるプログラム。
【手続補正書】
【提出日】平成26年1月24日(2014.1.24)
【手続補正１】
【補正対象書類名】特許請求の範囲
【補正対象項目名】請求項９
【補正方法】変更
【補正の内容】
【請求項９】
視聴者の顔面または頭部に装着され、表示装置と連携して動作する３次元用眼鏡であって、
透過状態と非透過状態とを切替可能な右目側シャッタ及び左目側シャッタと、
前記３次元用眼鏡の機種を識別する情報である機種情報を前記表示装置に送信する機種情報送信部と、
前記３次元用眼鏡に装着された電極によって前記視聴者の生体電位を計測する電位計測部と、
前記電位計測部で計測された生体電位の情報を電位情報として前記表示装置に送信する電位情報送信部と、
前記表示装置から、電極の位置を示す電極位置情報の送信についての要求を受信する電極要求受信部と、
前記電極要求受信部が前記要求を受信した場合に、前記３次元用眼鏡が有する電極の位置を示す電極位置情報を前記表示装置に送信する電極位置送信部とを備え、
前記表示装置は、
前記機種情報送信部から送信されてきた機種情報を受信する機種情報受信部と、
予め対応づけられた、機種情報と当該機種情報をもつ３次元用眼鏡が有する電極の位置を示す電極位置情報との組を複数組示す電極情報を参照することにより、前記機種情報受信部が受信した機種情報が前記電極情報に存在しないと判断した場合に、前記３次元用眼鏡が有する電極の位置を示す電極位置情報の送信を前記３次元用眼鏡に要求する電極情報要求送信部と、
前記電極位置送信部から送信されてきた電極位置情報を受信することで、前記３次元用眼鏡が有する電極の位置を判断する電極位置判断部と、
前記電位情報送信部から送信されてきた電位情報を受信する電位情報受信部と、
前記電極位置判断部で判断された電極の位置と、前記電位情報受信部で受信された電位情報とに基づいて、前記電極の位置と前記電位情報が示す生体電位とを対応づけることで、前記視聴者における前記３次元用眼鏡の装着状態を判定する装着状態判定部とを有する
３次元用眼鏡。
【国際調査報告】
2012160758.tif 000033
2012160758.tif 000034